【手続補正書】
【提出日】平成17年5月10日(2005.5.10)
【手続補正１】
【補正対象書類名】明細書
【補正対象項目名】全文
【補正方法】変更
【補正の内容】
【書類名】    明細書
【発明の名称】  弾球遊技機
【特許請求の範囲】
【請求項１】  乱数カウンタと、その乱数カウンタの値を更新する更新手段と、所定の契機により前記乱数カウンタの値を読み出す読出手段とを備え、その読出手段により読み出された前記乱数カウンタの値が予め定められた値の１つと一致する場合に、遊技者に所定条件下で所定の遊技価値を付与する弾球遊技機において、
時の計測を行うリアルタイムクロックと、
電源のオフ後においても、前記リアルタイムクロックによる時の計測を継続させるために、そのリアルタイムクロックへバックアップ電圧を供給するバッテリー回路と、
前記リアルタイムクロックが計測する秒の値に基づいて、前記乱数カウンタの更新の初期値を設定する初期値設定手段とを備えていることを特徴とする弾球遊技機。
【請求項２】  乱数カウンタと、その乱数カウンタの値を更新する更新手段と、所定の契機により前記乱数カウンタの値を読み出す読出手段とを備え、その読出手段により読み出された前記乱数カウンタの値が予め定められた値の１つと一致する場合に、遊技者に所定条件下で所定の遊技価値を付与する弾球遊技機において、
時の計測を行うリアルタイムクロックと、
電源のオフ後においても、前記リアルタイムクロックによる時の計測を継続させるために、そのリアルタイムクロックへバックアップ電圧を供給するバッテリー回路と、
前記リアルタイムクロックの計測値の各値を桁毎に加算した和を前記乱数カウンタの更新範囲の最大値＋１で割った余りに基づいて、前記乱数カウンタの更新の初期値を設定する初期値設定手段とを備えていることを特徴とする弾球遊技機。
【請求項３】  前記初期値設定手段は、前記弾球遊技機の電源投入時における前記リアルタイムクロックの計測値に基づいて、前記乱数カウンタの更新の初期値を設定することを特徴とする請求項１又は２に記載の弾球遊技機。
【請求項４】  電源のオフ後においてもデータを保持する不揮発性の記憶手段と、
前記弾球遊技機の電源がオフされるタイミングで前記リアルタイムクロックの計測値を前記不揮発性の記憶手段へ書き込む書込手段とを備え、
前記初期値設定手段は、その書込手段により書き込まれた前記不揮発性の記憶手段に記憶される値に基づいて、前記乱数カウンタの更新の初期値を設定することを特徴とする請求項１又は２に記載の弾球遊技機。
【請求項５】  前記初期値設定手段は、前記リアルタイムクロックの計測値に基づいて算出された前記乱数カウンタの更新の初期値が「０」である場合に、その値を「０」以外の値に変更する変更手段を備えていることを特徴とする請求項１から４のいずれかに記載の弾球遊技機。
【発明の詳細な説明】
【０００１】
【発明の属する技術分野】  本発明は、パチンコ遊技機などに代表される弾球遊技機に関し、特に、「ぶら下げ基板」等による不正行為を防止することができる弾球遊技機に関するものである。
【０００２】
【従来の技術】  この種のパチンコ遊技機は、複数種類の図柄を変動表示可能な表示装置を備えており、遊技領域に打ち込まれた打球が図柄作動ゲートを通過することにより、変動表示を開始するように構成されている。この変動表示が予め定められた図柄の組み合わせと一致して停止すると、大当たりとなって、遊技者に所定の遊技価値が付与され、大量の遊技球が払出可能な状態となる。
【０００３】
かかる大当たりの発生の有無は、打球が図柄作動ゲートを通過するタイミングで決定される。即ち、１カウントずつ定期的に一定の範囲で（例えば、１カウントずつ、２ｍｓ毎に、０から３４６の範囲で）更新されるカウンタを備え、打球が図柄作動ゲートを通過したときに、そのカウンタの値を読み出して、読み出されたカウンタの値が、例えば「７」などの所定値と一致する場合に、大当たりを発生させている。大当たりが発生すると、制御基板のコネクタに接続されたケーブルを介して、大当たりコマンドが表示装置の表示用基板へ送信される。表示装置では、受信された大当たりコマンドに基づいて、変動表示を制御し、所定の図柄の組み合わせで停止する大当たり表示を現出させるのである。
【０００４】
【発明が解決しようとする課題】  ところが、最近、「ぶら下げ基板」と呼ばれる不正な基板を使用した不正行為が報告されている。この不正行為は、制御基板と表示装置の表示用基板との間に、不正な基板をぶら下げて（不正な「ぶら下げ基板」を取り付けて）、不当に大当たりを発生させるというものである。具体的には、前記したパチンコ遊技機に設けられる大当たりを決定するためのカウンタと同様の働きをするカウンタ（１カウントずつ定期的に一定の範囲で更新されるカウンタ）を「ぶら下げ基板」内に設け、そのカウンタの値をパチンコ遊技機の電源投入に合わせてリセット（０クリア）することにより、「ぶら下げ基板」内で大当たりの発生タイミングを把握する。そして、その把握した大当たりの発生タイミングに合わせて、「ぶら下げ基板」内で打球の図柄作動ゲート通過信号を不正に生成し、これをパチンコ遊技機の制御基板へ出力して、不当に大当たりを発生させるというものである。遊技場などでは、この「ぶら下げ基板」を用いた不正行為により、多大な被害を被っているという問題点があった。
【０００５】
本発明は上述した問題点を解決するためになされたものであり、大当たりの発生タイミングの把握を不可能にして、「ぶら下げ基板」等を用いた不正行為を防止することができる弾球遊技機を提供することを目的としている。
【０００６】
【課題を解決するための手段】  この目的を達成するために請求項１記載の弾球遊技機は、乱数カウンタと、その乱数カウンタの値を更新する更新手段と、所定の契機により前記乱数カウンタの値を読み出す読出手段とを備え、その読出手段により読み出された前記乱数カウンタの値が予め定められた値の１つと一致する場合に、遊技者に所定条件下で所定の遊技価値を付与するものであり、更に、時の計測を行うリアルタイムクロックと、電源のオフ後においても、前記リアルタイムクロックによる時の計測を継続させるために、そのリアルタイムクロックへバックアップ電圧を供給するバッテリー回路と、前記リアルタイムクロックが計測する秒の値に基づいて、前記乱数カウンタの更新の初期値を設定する初期値設定手段とを備えている。
【０００７】
この請求項１記載の弾球遊技機によれば、乱数カウンタの値は、更新手段により更新されるとともに、所定の契機により読出手段によって読み出される。読み出された乱数カウンタの値が予め定められた値の１つと一致すると、大当たりとなって、遊技者に所定条件下で所定の遊技価値が付与される。この更新手段による乱数カウンタの更新の初期値は、「ぶら下げ基板」等が動作しない、弾球遊技機の電源のオフ時においても、計時を継続するリアルタイムクロックの秒の値に基づいて、初期値設定手段により設定される。よって、弾球遊技機の電源投入に合わせて、「ぶら下げ基板」等がその内部の不正なカウンタの値をリセットしても、その内部カウンタの値を乱数カウンタの値と一致させることはできず、「ぶら下げ基板」等による大当たりの発生タイミングの把握を防止することができる。
請求項２記載の弾球遊技機は、乱数カウンタと、その乱数カウンタの値を更新する更新手段と、所定の契機により前記乱数カウンタの値を読み出す読出手段とを備え、その読出手段により読み出された前記乱数カウンタの値が予め定められた値の１つと一致する場合に、遊技者に所定条件下で所定の遊技価値を付与するものであり、時の計測を行うリアルタイムクロックと、電源のオフ後においても、前記リアルタイムクロックによる時の計測を継続させるために、そのリアルタイムクロックへバックアップ電圧を供給するバッテリー回路と、前記リアルタイムクロックの計測値の各値を桁毎に加算した和を前記乱数カウンタの更新範囲の最大値＋１で割った余りに基づいて、前記乱数カウンタの更新の初期値を設定する初期値設定手段とを備えている。
請求項３記載の弾球遊技機は、請求項１又は２に記載の弾球遊技機において、前記初期値設定手段は、前記弾球遊技機の電源投入時における前記リアルタイムクロックの計測値に基づいて、前記乱数カウンタの更新の初期値を設定するものである。
請求項４記載の弾球遊技機は、請求項１又は２に記載の弾球遊技機において、電源のオフ後においてもデータを保持する不揮発性の記憶手段と、前記弾球遊技機の電源がオフされるタイミングで前記リアルタイムクロックの計測値を前記不揮発性の記憶手段へ書き込む書込手段とを備え、前記初期値設定手段は、その書込手段により書き込まれた前記不揮発性の記憶手段に記憶される値に基づいて、前記乱数カウンタの更新の初期値を設定するものである。
請求項５記載の弾球遊技機は、請求項１から４のいずれかに記載の弾球遊技機において、前記初期値設定手段は、前記リアルタイムクロックの計測値に基づいて算出された前記乱数カウンタの更新の初期値が「０」である場合に、その値を「０」以外の値に変更する変更手段を備えている。
【０００８】
【発明の実施の形態】  以下、本発明の好ましい実施例について、添付図面を参照して説明する。本実施例では、弾球遊技機の一例としてパチンコ遊技機、特に、第１種パチンコ遊技機を用いて説明する。なお、本発明を第３種パチンコ遊技機や他の弾球遊技機に用いることは、当然に可能である。
【０００９】
図１は、パチンコ遊技機Ｐの遊技盤の正面図である。遊技盤１の周囲には、打球が入賞することにより５個から１５個の遊技球が払い出される複数の入賞口２が設けられている。また、遊技盤１の中央には、複数種類の識別情報としての図柄などを表示する液晶（ＬＣＤ）ディスプレイ３が設けられている。このＬＣＤディスプレイ３の表示画面は横方向に３分割されており、３分割された各表示領域において、それぞれ図柄の変動表示が行われる。
【００１０】
ＬＣＤディスプレイ３の下方には、図柄作動ゲート（第１種始動口）４が設けられ、この図柄作動ゲート４を打球が通過することにより、前記したＬＣＤディスプレイ３の変動表示が開始される。図柄作動ゲート４の下方には、特定入賞口（大入賞口）５が設けられている。この特定入賞口５は、ＬＣＤディスプレイ３の変動後の表示結果が予め定められた図柄の組み合わせの１つと一致する場合に、大当たりとなって、打球が入賞しやすいように所定時間（例えば、３０秒経過するまで、あるいは、打球が１０個入賞するまで）開放される入賞口である。この特定入賞口５内には、Ｖゾーン５ａが設けられており、特定入賞口５の開放中に、打球がＶゾーン５ａ内を通過すると、継続権が成立して、特定入賞口５の閉鎖後、再度、その特定入賞口５が所定時間（又は、特定入賞口５に打球が所定個数入賞するまで）開放される。この特定入賞口５の開閉動作は、最高で１６回（１６ラウンド）繰り返し可能にされており、開閉動作の行われ得る状態が、いわゆる所定の遊技価値の付与された状態（特別遊技状態）である。
【００１１】
図２は、かかるパチンコ遊技機Ｐの電気的構成を示したブロック図である。パチンコ遊技機Ｐの制御部Ｃは、演算装置であるＣＰＵ１１と、そのＣＰＵ１１により実行される各種の制御プログラムなどを記憶したＲＯＭ１２と、各種のデータ等を記憶するためのメモリであるＲＡＭ１３と、時の計測を行うリアルタイムクロック（以下「ＲＴＣ」と称す）１４とを備えている。図３及び図４に示すフローチャートのプログラムは、制御プログラムの一部としてＲＯＭ１２内に記憶されている。
【００１２】
ＲＡＭ１３は、大当たりの発生を決定するための乱数カウンタ１３ａを備えている。この乱数カウンタ１３ａは、図３の乱数カウンタ更新処理（Ｓ１０）により、「０〜３４６」の範囲で、２ｍｓ毎に１カウントずつ更新される。乱数カウンタ１３ａの値が、例えば「７」であるときに、打球が図柄作動ゲート４を通過すると大当たりが発生する。大当たりが発生すると、大当たりコマンドが制御部Ｃから後述する表示装置Ｄへ送られる。表示装置Ｄは、この大当たりコマンドに基づいて、ＬＣＤディスプレイ３の変動表示を大当たりの状態に制御するのである。
【００１３】
ＲＴＣ１４は、年・月・日・曜日・時間・分・秒の時の計測を行うＩＣであり、このＲＴＣ１４の計測値に基づいて、乱数カウンタ１３ａの初期値が算出され設定される（Ｓ３）。ＲＴＣ１４には、パチンコ遊技機Ｐの電源のオフ後に、そのＲＴＣ１４へバックアップ用の電圧を供給するバッテリー回路１４ａが接続されている。ＲＴＣ１４は、このバッテリー回路１４ａにより、パチンコ遊技機Ｐの電源のオフ後にも時の計測を継続することができる。一方、「ぶら下げ基板」は、パチンコ遊技機Ｐから電源供給を受けて動作するので、パチンコ遊技機Ｐがオフされている間は動作することができない。よって、乱数カウンタ１３ａの更新の初期値を、ＲＴＣ１４の値に基づいて設定することより、「ぶら下げ基板」による大当たりの発生タイミングの把握を不可能にすることができる。しかも、パチンコ遊技機Ｐの電源のオフ時間は、パチンコホールの状況などに応じて毎日変化するので、かかるオフ時間を「ぶら下げ基板」により管理することはできず、「ぶら下げ基板」対策を一層確実ならしめることができる。
【００１４】
これらのＣＰＵ１１、ＲＯＭ１２、ＲＡＭ１３、ＲＴＣ１４は、バスライン１７を介して互いに接続されている。バスライン１７は、また、入出力ポート１５にも接続されており、この入出力ポート１５は表示装置Ｄや他の入出力装置１６と接続されている。制御部Ｃは、入出力ポート１５を介して、表示装置Ｄや他の入出力装置１６へ動作コマンドを送り、それら各装置を制御する。ＬＣＤディスプレイ３の変動表示や特定入賞口５の開閉動作も、この動作コマンドに基づいて制御される。
【００１５】
表示装置Ｄは、ＣＰＵ２１と、プログラムＲＯＭ２２と、ワークＲＡＭ２３と、ビデオＲＡＭ２４と、キャラクタＲＯＭ２５と、画像コントローラ２６と、入出力ポート２７と、ＬＣＤディスプレイ３とを備えている。表示装置ＤのＣＰＵ２１は、制御部Ｃから出力される動作コマンドに応じて、ＬＣＤディスプレイ３の表示制御（変動表示）を行うものであり、プログラムＲＯＭ２２には、このＣＰＵ２１により実行されるプログラムが記憶されている。ワークＲＡＭ２３は、ＣＰＵ２１によるプログラムの実行時に使用されるワークデータが記憶されるメモリである。
【００１６】
ビデオＲＡＭ２４は、ＬＣＤディスプレイ３に表示されるデータが記憶されるメモリであり、このビデオＲＡＭ２４の内容を書き換えることにより、ＬＣＤディスプレイ３の表示内容が変更される。即ち、各表示領域における図柄の変動表示は、ビデオＲＡＭ２４の内容が書き換えられることにより行われる。キャラクタＲＯＭ２５は、ＬＣＤディスプレイ３に表示される図柄などのキャラクタデータを記憶するメモリである。画像コントローラ２６は、ＣＰＵ２１、ビデオＲＡＭ２４、入出力ポート２７のそれぞれのタイミングを調整して、データの読み書きを介在するとともに、ビデオＲＡＭ２４に記憶される表示データをキャラクタＲＯＭ２５を参照して所定のタイミングでＬＣＤディスプレイ３に表示させるものである。
【００１７】
次に、上記のように構成されたパチンコ遊技機Ｐで実行される各処理を、図３及び図４のフローチャートを参照して説明する。図３は、後述するリセット割込処理で実行される乱数カウンタ更新処理のフローチャートである。この処理により乱数カウンタ１３ａの値は、「０〜３４６」の範囲で１カウントずつ更新される。なお、リセット割込処理は２ｍｓ毎に１回実行されるので、その更新周期は２ｍｓ毎となる。
【００１８】
乱数カウンタ更新処理では、まず、乱数カウンタ１３ａの値が「３４６」以上であるか否かを調べる（Ｓ１１）。乱数カウンタ１３ａの値が「３４６」未満であれば（Ｓ１１：Ｎｏ）、乱数カウンタ１３ａの値を「１」加算して更新する（Ｓ１２）。一方、乱数カウンタ１３ａの値が「３４６」以上であれば（Ｓ１１：Ｙｅｓ）、その値を「０」クリアして（Ｓ１３）、この処理を終了する。
【００１９】
図４は、パチンコ遊技機Ｐの制御部Ｃにおいて、２ｍｓ毎に実行されるリセット割込処理のフローチャートである。リセット割込処理では、まず、その処理が電源投入後、最初に実行された処理であるか否かが調べられ（Ｓ１）、最初に実行された処理であれば（Ｓ１：Ｙｅｓ）、ＲＡＭ１３の初期化を行った後に（Ｓ２）、ＲＴＣ１４の計測値に基づいて、乱数カウンタ１３ａの初期値が算出され、その算出された値が乱数カウンタ１３ａへ書き込まれる（Ｓ３）。具体的には、ＲＴＣ１４がその時点で計測する秒の値（「０〜５９」）を乱数カウンタ１３ａの初期値として書き込むのである。前記した通り、ＲＴＣ１４は「ぶら下げ基板」が動作しないパチンコ遊技機Ｐの電源オフ後も時の計測を継続するので、「ぶら下げ基板」ではＲＴＣ１４の計測値を把握することができない。よって、かかるＲＴＣ１４の秒の値を乱数カウンタ１３ａの初期値として書き込むことにより、「ぶら下げ基板」による大当たり発生タイミングの把握を不可能にすることができる。なお、ＲＴＣ１４の計測する秒の値が「０」である場合には、「０」に代えて「６０」を、乱数カウンタ１３ａの初期値として書き込むのである。
【００２０】
Ｓ３の処理の実行後、又は、Ｓ１の処理において、電源投入後２回目以降に実行されたリセット割込処理であると判断された場合には（Ｓ１：Ｎｏ）、その後順に、乱数カウンタ更新処理（Ｓ１０）、各処理（Ｓ４）を実行し、今回のリセット割込処理を終了する。
【００２１】
なお、大当たりの発生の有無は、打球が図柄作動ゲート４を通過したときに実行される大当たり判定処理（図示せず）によって判断される。この大当たり判定処理では、乱数カウンタ１３ａの値を読み出し、例えば、その値が「７」であれば、大当たりを発生させるのである。大当たりが発生すると、制御部Ｃから表示装置Ｄへ大当たりコマンドが送信され、表示装置Ｄにより、その大当たりコマンドに基づいて大当たり時の変動表示が行われるのである。
【００２２】
以上説明したように、本実施例のパチンコ遊技機Ｐでは、電源投入時において大当たりの発生を決定する乱数カウンタ１３ａの更新の初期値を、固定値とせず、ＲＴＣ１４の計測値に基づいて設定している。よって、パチンコ遊技機Ｐに不正に取り付けられた「ぶら下げ基板」等が、パチンコ遊技機Ｐの電源投入に合わせて、その内部カウンタの値をリセットしても、その値を乱数カウンタ１３ａの値と一致させることはできない。このため「ぶら下げ基板」等は大当たりの発生タイミングを把握することができないので、大当たりの発生タイミングに合わせて、図柄作動ゲート４の通過信号をパチンコ遊技機Ｐの制御部Ｃへ出力することができなくなる。従って、「ぶら下げ基板」等を用いて不当に大当たりを発生させる不正行為を防止することができる。
【００２３】
なお、請求項１記載の更新手段としては、図３の乱数カウンタ更新処理が該当し、所定の契機としては、打球の図柄作動ゲート通過信号の発生契機が該当する。また、読出手段としては、打球が図柄作動ゲート４を通過したときに実行される乱数カウンタ１３ａの値の読み取り処理（図示せず）が該当し、初期値設定手段としては、図４のＳ３の処理が該当する。
【００２４】
以上、実施例に基づき本発明を説明したが、本発明は上記実施例に何ら限定されるものではなく、本発明の趣旨を逸脱しない範囲内で種々の改良変形が可能であることは容易に推察できるものである。
【００２５】
本実施例では、パチンコ遊技機Ｐの電源投入時におけるＲＴＣ１４の秒の値を乱数カウンタ１３ａの初期値とした。しかし、必ずしもこれに限られるものではなく、ＲＴＣ１４の計測値に基づいて、他の方式により、乱数カウンタ１３ａの初期値を算出し設定するようにしても良い。例えば、ＲＴＣ１４の計測値が、「Ａ年Ｂ月Ｃ日Ｄ曜日Ｅ時Ｆ分Ｇ秒」である場合に、計測値の各値を加算（A+B+C+D+E+F+G）して、その和を乱数カウンタ１３ａの更新の最大値＋１（本実施例では「３４７」）で割り、余りを乱数カウンタ１３ａの初期値としても良い。また、パチンコ遊技機Ｐの電源がオフされるタイミングでＲＴＣ１４の計測値を、不揮発性のメモリであるＥＥＰＲＯＭなどに記憶しておき、その記憶された値に基づいて、乱数カウンタ１３ａの初期値を設定するようにしても良い。なお、算出された乱数カウンタ１３ａの初期値が「０」である場合には、その値に、例えば「＋１」等して、乱数カウンタ１３ａの初期値が必ず「０」以外の値となるようにすると、「ぶら下げ基板」対策として一層効果的である。
【００２６】
以下に本発明の変形例を示す。請求項１記載の弾球遊技機において、前記継続手段は、時の計測を行うリアルタイムクロックで構成され、前記初期値設定手段は、そのリアルタイムクロックの計測値に基づいて、前記乱数カウンタの更新の初期値を設定することを特徴とする弾球遊技機１。
【００２７】
弾球遊技機１において、その弾球遊技機の電源のオフ後においても、前記リアルタイムクロックによる時の計測を継続させるために、そのリアルタイムクロックへバックアップ電圧を供給するバッテリー回路を備えていることを特徴とする弾球遊技機２。
【００２８】
弾球遊技機１又は２において、前記初期値設定手段は、前記弾球遊技機の電源投入時における前記リアルタイムクロックの計測値に基づいて、前記乱数カウンタの更新の初期値を設定することを特徴とする弾球遊技機３。
【００２９】
弾球遊技機１から３のいずれかにおいて、前記初期値設定手段は、前記リアルタイムクロックの計測値に基づいて算出された前記乱数カウンタ１３ａの更新の初期値が「０」である場合に、その値を「０」以外の値に変更する変更手段を備えていることを特徴とする弾球遊技機４。
【００３０】
【発明の効果】  本発明の弾球遊技機によれば、大当たりを決定するための乱数カウンタの更新の初期値は、リアルタイムクロックのカウント値に基づいて設定される。リアルタイムクロックは、「ぶら下げ基板」等が動作しない、弾球遊技機の電源のオフ時においても、カウント（計時）を継続するので、リアルタイムクロックのカウント値（計測値）を「ぶら下げ基板」等は把握することができない。よって、「ぶら下げ基板」等では、その内部の不正なカウンタの値を乱数カウンタの値と一致させることができず、大当たりの発生タイミングを把握することができない。従って、「ぶら下げ基板」等を用いて、不当に大当たりを発生させるという不正行為を防止することができるという効果がある。
【図面の簡単な説明】
【図１】  本発明の一実施例であるパチンコ遊技機の遊技盤の正面図である。
【図２】  パチンコ遊技機の電気的構成を示したブロック図である。
【図３】  乱数カウンタ更新処理を示したフローチャートである。
【図４】  リセット割込処理を示したフローチャートである。
【符号の説明】
３                    液晶（ＬＣＤ）ディスプレイ
４                    図柄作動ゲート
５                    特定入賞口
１３                  制御部のＲＡＭ
１３ａ                乱数カウンタ
１４                  リアルタイムクロック（ＲＴＣ）
１４ａ                バッテリー回路
Ｃ                    制御部
Ｄ                    表示装置
Ｐ                    パチンコ遊技機（弾球遊技機）